(57)【特許請求の範囲】
【請求項１】
画像データ信号を供給する信号源と、
前記信号源から供給される画像データ信号を所定のビット数毎に第１、第２の画像データ信号に分割するデータ分割部と、
前記データ分割部で分割された前記第１、第２の画像データ信号間での位相をずらせる位相シフト部と、
前記位相シフト部で位相がずらされた前記第１、第２の画像データ信号をそれぞれ伝送する第１、第２の伝送路と、
を具備したことを特徴とする情報処理装置。
【請求項２】
前記位相シフト部が、前記第１、第２の画像データ信号のいずれか一方を反転させることを特徴とする請求項１に記載の情報処理装置。
【請求項３】
前記画像データ信号が、ＲＧＢそれぞれに対応するＲ画像信号、Ｇ画像信号、Ｂ画像信号に区分され、
前記データ分割部が、前記Ｒ画像信号、前記Ｇ画像信号、前記Ｂ画像信号それぞれを分割する第１、第２、第３の位相シフト部を有し、
前記第１、第２の伝送路が、前記第１、第２、第３の位相シフト部でそれぞれ分割されたＲ画像信号、Ｇ画像信号、Ｂ画像信号それぞれを伝送する個別伝送路を有する、
ことを特徴とする請求項１記載の情報処理装置。
【請求項４】
前記Ｒ画像信号、Ｇ画像信号、Ｂ画像信号それぞれの位相を異ならせる手段
をさらに具備したことを特徴とする請求項３記載の情報処理装置。
【請求項５】
前記第１、第２の伝送路で伝送された第１、第２の画像データ信号間での位相を前記位相シフト部でずらされた量だけ元に戻す第２の位相シフト部と、
を具備したことを特徴とする請求項１記載の情報処理装置。
【発明の詳細な説明】
【０００１】
【発明の属する技術分野】
本発明は情報処理装置に関し、特に電磁障害（ＥＭＩ）の小さな情報処理装置に関する。
また本発明は液晶表示装置に関し、特に電磁障害の小さな液晶表示装置に関する。
【０００２】
【従来の技術】
半導体素子等の高集積化、高機能化に伴って、情報処理装置の動作周波数は年々高速化しており、情報処理装置の内部から発生する電磁障害（ＥＭＩ：Ｅｌｅｃｔｒｏｍａｇｎｅｔｉｃ  Ｉｎｔｅｒｆｅｒｅｎｃｅ）が問題となっている。
また、画像の表示を行う情報処理装置の１形態である液晶表示装置などにおいても、ＶＧＡからＳＶＧＡ、ＸＧＡ、ＳＸＧＡと多画素化が進み、その駆動周波数は急激に高速化しており、やはり電磁障害が問題となっている。
【０００３】
例えば液晶表示装置などにおいては駆動周波数を小さくするため、画像データ信号などの信号を分割して伝送することも行われている。
図１６は従来の液晶表示装置の構成を概略的に示す図である。
信号源９１から供給された画像データ信号は、周波数を低減するために分割部９２により２分割され信号線ドライバ９３を介してアナログ信号に変換され液晶表示素子９４に供給される。このような構成によれば、伝送の周波数は約半分に低減することができるが、それでも駆動信号が電波として飛び込むＥＭＩの問題を解決することができない。
【０００４】
このような電磁障害に対処するため、通常は情報処理装置から電磁波を外部に出さないようにシールドするという対策が行われている。しかしながら、このようなシールドによる遮蔽は回路部分ではある程度の効果はあるが、表示画面をシールドすることは難しいため、表示装置自体から出るＥＭＩを防止することはできない。
さらに、情報処理装置内、液晶表示装置内でのＥＭＩによる動作不良等の問題はシールドで解決することは非常に困難でる。
近年では、ｐｏｌｙ−Ｓｉ（多結晶シリコン）などをチャネル半導体膜に用いた薄膜トランジスタなどにより、表示画面の画素をスイッチングする薄膜トランジスタアレイと、表示画面の周囲に配設される走査線ドライバ、信号線ドライバなどの駆動回路等を１つの基板上に一体的に作り込んだ液晶表示装置も現れている。このように表示画素と駆動部とを一体化するだけではなく、例えばＣＰＵやＤＳＰなどさらに他の回路を一体化して形成するシステムオングラス（ＳＯＧ）技術が進展すると、様々な回路が情報処理装置や、液晶表示装置の内部に高密度実装されることになるため、ＥＭＩの問題がさらに深刻化するとう問題がある。
【０００５】
【発明が解決しようとする課題】
このように、従来の液晶表示装置では、駆動に用いるクロック信号、同期信号、あるいは画像信号などによるＥＭＩがシールドだけでは十分低減できないという問題がある。また、様々な回路を例えば同一のガラス基板上に一体的に形成する場合上述のような電磁障害の問題はさらに深刻になる。
【０００６】
本発明はこのような問題点を解決するためになされたものである。
すなわち本発明は電磁障害を低減した情報処理装置を提供することを目的とする。
また本発明は、情報処理装置を構成する回路が増えたり、複雑になったり、さらに扱う信号が高周波になっても電磁障害を抑制することができる情報処理装置を提供することを目的とする。
【０００７】
本発明は電磁障害を低減した液晶表示装置を提供することを目的とする。  また本発明は液晶表示装置を構成する回路が増えたり、より高周波の信号を扱う場合でも電磁障害を抑制することができる液晶表示装置を提供することを目的とする。
【０００８】
【課題を解決するための手段】
このような課題を解決するため、本発明は以下のような構成を備えたものである。
【０００９】
本発明の情報処理装置は、データ信号を伝送する第１の線路と第２の線路とを有する伝送路と、供給されたデータ信号を第１のデータ信号と第２のデータ信号とに分割して前記第１の線路と前記第２の線路とにそれぞれ供給する分割手段と、前記分割手段と前記伝送路との間に配設され、前記第１のデータ信号と前記第２のデータ信号との位相をずらせる手段とを具備したことを特徴とする。
データ信号としては例えば画像データ信号のように近接したデータに相関を有する信号であればどのようなものでもよい。
【００１０】
また本発明の情報処理装置は、近接したデータに相関を有するデータ信号を供給するする信号源と、前記データ信号を伝送する、第１の線路と第２の線路とを有する伝送路と、前記信号源と前記伝送路との間に配設され、前記信号源から供給されたデータ信号を第１のデータ信号と第２のデータ信号とに分割して前記第１の線路と前記第２の線路とにそれぞれ供給する分割手段と、前記分割手段と前記伝送路との間に配設され、前記第１のデータ信号と前記第２のデータ信号との位相をずらせる手段とを具備するようにしてもよい。
【００１１】
信号源から供給されるデータ信号はパラレルでもシリアルでもよい。また複数の異なる信号が供給される場合、伝送する信号に応じて伝送路を複数備えるようにすればよい。
【００１２】
分割手段は供給されたデータ信号を並列した複数の線路に分割して供給するものである。この分割手段は供給されるデータ信号をビット毎に複数の線路へ分配するようにしてもよいし、また供給されるデータ信号をメモリ手段に一度保持してから第１の線路と第２の線路とへ分割して供給するようにしてもよい。
例えば奇数ビットを順次第１の線路へ、偶数ビットを順次第２の線路へ分配するようにしてもよいし、供給されたデータ信号を複数のブロックに分割して第１の線路と第２の線路とへ供給するようにしてもよい。さらに、供給されるデータ信号を時分割して第１の線路と第２の線路とへ供給するようにしてもよい。
【００１３】
また、前記分割手段は、同位相で伝送される前記第１のデータ信号と前記第２のデータ信号とが相関を有するように分割することが好適である。これは、前記第１のデータ信号と前記第２のデータ信号との相関度が高いほど、一方のデータ信号を反転させたときに得られる平均電磁場強度が緩和されることによる。
【００１４】
位相をずらせる手段は、分割した第１のデータ信号と第２のデータ信号との位相をシフトさせるものである。ここで位相のシフトには１８０°ずれた場合も含む。また、位相をずらせる手段により前記第１のデータ信号または前記第２のデータ信号のいずれか一方を反転させるようにしてもよい。
すなわち本発明の情報処理装置は、近接したデータに相関を有するデータ信号を第１のデータ信号と第２のデータ信号とに分割し、第１のデータ信号と第２のデータ信号の位相をずらせて並列配置された第１の線路と第２の線路とに送るものである。
【００１５】
近接したデータに相関を有するデータ信号としては、例えば画像データ信号などをあげることができる。よく知られているように、画像（信号）の近隣画素間には強い相関がある。例えば隣り合う２画素の画素値（例えば輝度の値）をｘ１  、ｘ２  としてＸ１  −Ｘ２  平面上に（ｘ１  ，ｘ２  ）をプロットすると、傾き４５°の直線上に集中して分布することになる（図２参照）。
本発明の情報処理装置においては、このようなデータ信号を複数に分割して、分割した一方のデータ信号の極性をシフトまたは反転させることにより、伝送路上での電磁障害の発生を抑制するものである。
【００１６】
なお、分割数は２分割に限らず、３分割でも４分割でもよいが、分割に際して分割された複数のデータができるだけ大きな相関度を有するように分割することが好適である。例えば８ビットのデータ信号を４ビットの２つのシリアルなデータ信号に分割したとき、２つの異なるデータ信号の１ビット目、２ビット目、３ビット目、４ビット目のデータ相互が相関を有するように分割して一方を反転させることにより、電磁障害の発生を効果的に抑制することができる。
これは、分割されたデータ信号の相互の相関度が大きければ大きいほど、一方の信号を反転させたときに伝送路に生じる平均電場強度が緩和され、電磁障害が低減するためである。
【００１７】
また、本発明の情報処理装置は、第１のデータ信号が供給される第１の伝送路と、前記第１の伝送路と並行して配設され、前記第１のデータ信号と位相が同期した第２のデータ信号が供給される第２の伝送路と、前記第１のデータ信号の位相と前記第２のデータ信号の位相とをずらせる手段とを具備したことを特徴とする。
この情報処理装置は、複数のデータ信号（例えば、画像データ信号、クロック信号、同期信号など）が同期して供給されるとき、少なくとも２種の信号（例えば画像データ信号とクロック信号）の位相をずらせて伝送するものである。例えば画像データ信号の位相とクロック信号との位相をずらせたり、反転（１８０°ずらせることに対応する）させたりすることにより、伝送路から生じる電磁障害が低減される。
画像データ信号がＲＧＢのように複数種ある場合には、例えばＲの画像データ信号とＧの画像データ信号の位相をシフトさせるようにしてもよい。もちろん全種のデータ信号の位相をずらせるようにしてもよい。
【００１８】
また第１の伝送路と第２の伝送路とは、単一の線路に限ることなく複数ビットのデータ信号を伝送するように複数本の線路から構成するようにしてもよい。
【００１９】
また本発明の情報処理装置は、ｍ個のレベルに対応したｎビットのデータ信号がパラレルに伝送されるｎ本の伝送線路と、ｋ番目（ｋは１≦ｋ≦ｍ−１の自然数）の前記レベルと対応した前記データ信号と、ｋ＋１番目の前記レベルと対応した前記データ信号とでは少なくとも１ビットが共通になるように前記伝送線路に前記データ信号を供給する手段とを具備したことを特徴とする。
このような構成を有する本発明の情報処理装置では、ｎ本の伝送線路を伝送されるｎビットのデータ信号がすべて同時に変化することはないから、
例えばｍ階調を示すｎビットの画像データ信号を伝送する場合、ｋ番目の階調を示す画像データ信号と、ｋ＋１番目の階調を示す画像データ信号とは任意に対応することができるから、ｋ番目の階調を示す画像データ信号と、ｋ＋１番目の階調を示す画像データ信号とで全ビットが同時に変化しないようなディジタルな画像データ信号を用意すればよい。
前述したように画像データには強い相関が見られるから、隣接レベル（ｋ番目とｋ＋１番目）で少なくとも１ビットが共通となるようなデータ信号フォーマットを用いることにより電磁障害の発生が抑制される。
【００２０】
本発明の液晶表示装置は、画像データ信号を供給するする信号源と、第１の電極が配設された第１の基板と、第２の電極が配設された第２の基板と、前記第１の基板と前記第２の基板との間に挟持された液晶層とを有する液晶表示素子と、前記液晶表示素子の前記第１の電極または前記第２の電極に前記画像データ信号に対応した表示信号電圧を供給する駆動手段と、前記画像データ信号を前記駆動手段に供給する、第１の線路と第２の線路とを有する伝送路と、前記信号源と前記伝送路との間に配設され、前記信号源から供給された画像データ信号を第１のデータ信号と第２のデータ信号とに時分割して前記第１の線路と前記第２の線路とにそれぞれ供給する分割手段と、前記分割手段と前記伝送路との間に配設され、前記第１のデータ信号と前記第２のデータ信号との位相をずらせる手段と
を具備したことを特徴とする。
第１の電極としては例えば画素電極をあげることができ、第２の電極としては対向電極をあげることができる。この場合第１の基板はアレイ基板となり、第２の基板は対向基板となる。アクティブマトリクス型液晶表示素子では画素電極はアレイ基板上にマトリクス状に配設され、それぞれの画素電極は薄膜トランジスタ、ＭＩＭなどの非線形スイッチング素子などにより互いに電気的に独立に駆動される。そして、画素電極と対向電極との間に画像データに対応した電界を形成して、これらに挟持された液晶層の配向状態、相転移状態などを制御することにより、２次元的に液晶層に入射する光の強度を変調して表示を行う。
なお、ここでは２つの電極で液晶層を挟持して応答させる構成を例にとって説明するが、第１の電極、第２の電極ともに一方の基板上に配設して基板面と平行方向の電界を制御する横モードの液晶表示素子に本発明を適用するようにしてもよい。
【００２１】
また駆動手段としては、例えば画素電極を独立に駆動するためのスイッチング回路（例えば薄膜トランジスタ、ＭＩＭなどのスイッチング素子）、スイッチング回路に走査信号を供給する走査線ドライバ（走査線駆動回路）、またスイッチング回路を介して画素電極に画像データ信号に対応した表示信号電圧を供給する信号線ドライバ（信号線駆動回路）などをあげることができる。
なお、各画素電極毎に、あるいは所定数の画素電極からなる画素電極ブロック毎に、サンプリング手段、メモリ手段、Ｄ／Ａ変換手段などからなる駆動手段を備え、走査線ドライバ、信号線ドライバから駆動手段までの伝送路にもディジタルなデータ信号を供給するようにしてもよい。
【００２２】
すなわち本発明の液晶表示装置は、信号源から駆動手段へ、画像データ信号を供給する際に、画像データ信号を分割するとともに分割した画像データ信号の一方の位相をシフトさせた状態で駆動手段側へ伝送するものである。駆動手段の前段または駆動手段内でシフトさせた画像データ信号の位相を復元するようにしてもよい。
このような構成を採用することにより、相関の強い画像データ信号を相関ができるだけ保たれるように分割（例えば時分割）し、かつ一方をシフトあるいは反転させることにより伝送路から生じる電磁障害を抑圧することができる。
特に、液晶表示装置の表示画面はシールドすることが極めて困難であるが、本発明のように伝送路上を伝搬する信号により形成される電磁場の平均強度が緩和されるようにデータ信号を供給することにより電磁障害が大幅に抑圧され、また表示画面へ現れるノイズも低減する。
【００２３】
また本発明の液晶表示装置は、互いに電気的に独立に駆動される第１の電極がマトリクス状に配設された第１の基板と、この画素電極と対向した第２の電極が配設された第２の基板と、これら基板間に挟持された液晶層とを有する液晶表示素子と、前記第１の電極または前記第２の電極に印加される表示信号電圧に対応したディジタルな画像データ信号を一定の周期で同期して転送する手段とを有する液晶表示装置において、前記画像データ信号と、この画像データ信号を伝送するためのクロック信号および同期信号とのうち、少なくとも１種の信号の位相を他の信号の位相とずらせる手段を具備したことを特徴とする。
【００２４】
前記位相をずらせる手段は、位相をずらせる信号を反転して１８０°位相をシフトさせるインバータ回路を用いるようにしてもよい。
また前記位相をずらせる信号はＲの画像データ信号、Ｇの画像データ信号、Ｂの画像データ信号のうち少なくとも１つの画像データ信号の位相をシフトさせるようにしてもよい。
さらに、ＲＧＢの各画像データ信号を複数の部分に分割し、分割された画像データ信号のうち少なくとも１つの信号をシフトさせるようにしてもよい。
例えばＲの画像データ信号をＲ１とＲ２とに分割し、Ｒ１またはＲ２の一方をインバートして駆動手段へ伝送するようにしてもよい。
【００２５】
前述のように、ディジタルな画像データ信号は、複数のレベルを表す複数ビットの画像データ信号の隣接レベルでは少なくとも１ビットが共通な信号フォーマットを有するようにすることが好ましい。
【００２６】
また分割手段、位相をずらせる手段等は、液晶表示素子を構成する基板上に配設するようにしてもよい。例えば、画像データ信号をそのまま伝送するバッファー回路と前記信号を反転するインバ一卜回路とをアレイ基板上など液晶表示素子の内部に具備するようにしてもよい。
このような場合、アレイ基板の表示領域にマトリクス配列される薄膜トランジスタと、その駆動回路、またはインバート回路などの回路を例えがｐｏｌｙ−Ｓｉをチャネル半導体膜に用いた薄膜トランジスタなどにより一体的に形成するようにしてもよい。
【００２７】
また本発明の液晶表示装置は表示を行うために伝送された複数の画像データ信号を相関を有する複数の画像データ信号に分割し、少なくとも１つの信号の位相を異ならせることにより電磁障害を防止したものである。また、表示を行うために伝送された複数の画像データ信号、クロック信号、同期信号のうち、少なくとも１つの信号の位相を異ならせることにより電磁障害を防止したものであり、特に、その位相調整は１８０°位相を異ならせることがより効果的に電磁障害を抑制する観点からは好適である。
【００２８】
本発明によれば、伝送されるデータ信号から発生する電磁波が、位相が反転したデータ信号によつて発生する電磁波により互いに打ち消され、あるいは緩和されるため、電磁波ノイズを大幅に低減することかできる。また、位相を反転する信号として、画像データ信号の周波数を低減するために複数の画像に分割した分割画像信号を用いることで、分割することによって周波数が低減されるだけでなく、さらに逆極性のデータ信号による電磁波を相互に打ち消す作用を得ることができる。
【００２９】
【発明の実施の形態】
以下に本発明のについてさらに詳細に説明する。
【００３０】
（実施形態１）
図１は本発明の情報処理装置の構成の例を模式的に示す図である。
【００３１】
この情報処理装置は、データ信号Ｓを供給する信号源１１と、信号源から供給されたデータ信号Ｓを伝送する第１の線路１２ａと第２の線路１２ｂとを有する伝送路１２と、信号源１１と伝送路１２との間に配設され、信号源１１から供給されたデータ信号をデータ信号Ｓａ  とデータ信号Ｓｂ  とに分割して第１の線路１２ａと前記第２の線路１２ｂとにそれぞれ供給するデータ分割部１３と、データ分割部１３と伝送路１２との間に配設され、データ信号Ｓａ  とデータ信号Ｓｂ  との位相をずらせる位相シフト部１４とを具備したものである。
【００３２】
信号源１１から供給された近接するデータの相関の大きいディジタルなデータ信号Ｓは、データ分割部１３により２つのデータ信号Ｓａ  と、データ信号Ｓｂ  とに分割される。このときデータ分割部１３は、データ信号Ｓａ  とデータ信号Ｓｂ  とが相関を有するように分割する。
【００３３】
図２はデータ信号Ｓの相関を説明するための図である。
いまデータ信号Ｓは、近接するデータに相関を有する信号であるとする。すなわち、データ信号Ｓがｎビットｓ１  ，ｓ２  ，ｓ３  ，ｓ４  ，ｓ５  ，ｓ６  ，ｓ７  ，ｓ８  ，………，ｓｎ  からなっているとすると、近接するデータ、例えば隣り合うｎ−１番目のデータｓｎ−１  と、ｎ番目のデータｓｎ  との間には相関があり、Ｓｎ−１  −Ｓｎ  平面上に（ｓｎ−１  ，ｓｎ  ）をプロットすると傾き４５°の直線上に集中して分布することになる。このようなデータ信号を本発明では近接するデータに相関を有するデータ信号という。
【００３４】
図３、図４、図５はＲＧＢの画像データ信号ＳＲ  、ＳＧ  、ＳＢ  のデータの例をそれぞれ示す図であり、縦１６画素×横１６画素の輝度データの例を数値で示したものである。
【００３５】
ＲＧＢの画像データ信号ＳＲ  、ＳＧ  、ＳＢ  のどの画像データ信号についても、近接する領域のデータは似ていることがわかる。またＳＲ  とＳＧ  、ＳＧ  とＳＢ  、ＳＲ  、ＳＢ  との間にも相関が見られることがわかる。
【００３６】
図６、図７はデータ信号Ｓとデータ分割部１３により分割されたデータ信号Ｓａ  、Ｓｂ  との関係を説明するための図である。
【００３７】
図６の例では、データ信号Ｓ｛Ｓ：ｓ１  ，ｓ２  ，ｓ３  ，ｓ４  ，ｓ５  ，ｓ６  ，ｓ７  ，ｓ８  ｝を２つのデータ信号Ｓａ  ｛Ｓａ  ：ｓ１  ，ｓ３  ，ｓ５  ，ｓ７  ｝とデータ信号Ｓｂ  ｛Ｓｂ  ：ｓ２  ，ｓ４  ，ｓ６  ，ｓ８  ｝とに分割している。いまデータ信号Ｓａ  、Ｓｂ  を｛Ｓａ  ：ｓａ１，ｓａ２，ｓａ３，ｓａ４｝、｛Ｓｂ  ：ｓｂ１，ｓｂ２，ｓｂ３，ｓｂ４｝とそれぞれ書き替えると、データ信号Ｓａ  のｎ番目のデータと、データ信号Ｓｂ  のｎ番目のデータとは相関を有することがわかる。
【００３８】
なお、ここではｓｎ  とｓｎ＋１  とを交互にＳａ  、Ｓｂ  に割り振って分割した例を説明したが、データ信号Ｓａ  のｎ番目のデータと、データ信号Ｓｂ  のｎ番目のデータとは相関を有するように分割すれば、どのように分割してもよい。
例えば図７に例示したように、データ信号Ｓ｛Ｓ：ｓ１  ，ｓ２  ，ｓ３  ，ｓ４  ，ｓ５  ，ｓ６  ，ｓ７  ，ｓ８  ｝を２つのデータ信号Ｓａ  ｛Ｓａ  ：ｓ１  ，ｓ２  ，ｓ３  ，ｓ４  ，｝とデータ信号Ｓｂ  ｛Ｓｂ  ：ｓ５  ，ｓ６  ，ｓ７  ，ｓ８  ｝とに分割するようにしてもよい。
【００３９】
このように信号源１１から供給されたデータ信号はデータ分割部１３によりｎ番目のデータ相互に相関を有するデータ信号Ｓａ  とデータ信号Ｓｂ  とに分割される。そして、分割されたデータ信号Ｓａ  とデータ信号Ｓｂ  のいずれか一方は位相シフト部１４によりその信号の位相をずらさせる。
【００４０】
いま、例えばデータ信号Ｓｂ  の位相を１８０°ずらせた場合、すなわち反転させた場合を考えると、データ信号Ｓａ  とデータ信号Ｓｂ  とはｎ番目のデータ相互に相関を有するように分割されているから、データ信号Ｓａ  と反転したデータ信号Ｓｂ＊（Ｓｂ＊：反転させたデータ信号Ｓｂ  を表す）とは、同期した互いに相補的なディジタル信号として伝送路１２の線路１２ａと線路１２ｂとに供給されることになる。したがって伝送路上を伝搬する信号に起因して線路から放射される電磁波は同期した互いに相補的なディジタル信号により緩和され、データ信号Ｓａ  とデータ信号Ｓｂ  との相関係数が１に近いときには、ほとんど打ち消されることになる。
【００４１】
このように本発明の情報処理装置においては、供給されるデータ信号を相関を有するように複数に分割し、かつ、一方のデータ信号の位相をシフトさせたり反転させたりして伝送線路に送ることにより、伝送線路を伝搬するデータ信号に起因する電磁障害を抑制することができる。
【００４２】
なお、この伝送線路の下流側、すなわち伝送されたデータ信号を受ける側では、シフト乃至反転したデータ信号を復調し、また分割したデータ信号を元の状態に復元するようにしてもよい。
【００４３】
また本発明の伝送路には、いわゆる電子部品間、電子回路間を接続する配線だけではなく、例えばＣＰＵとメモリが１チップに組み込まれた機能素子などでのチップ内でのデータバスなども含まれる。したがって、ＣＰＵ、ＤＳＰ、メモリＩ／Ｏなどが１チップに組み込まれたような機能素子に本発明を適用するようにしてもよい。例えば、ＭＰＥＧ、ＪＰＥＧなどの画像処理を行う情報処理相装置、ＤＳＰなどに本発明を適用することにより、動作周波数が極めて高くなった場合でも電磁障害を低減することができる。
さらに、液晶表示装置にように極めて相関度の高いデータ信号が伝送される伝送路を有する情報処理装置に本発明を適用することにより、周波数が低くなるだけでなく、ノイズも低減することができる。特に表示画面の大きな液晶表示装置においては、駆動周波数が高くなるだけではなく伝送路も長くなるから、電磁障害を低減することは大きな意義を有する。
【００４４】
液晶表示装置の駆動は、液晶層の劣化を防止するために通常交流駆動でおこなわれる。この交流駆動をフリッカなく行うための例えば信号線反転駆動、ドット反転駆動などのフリッカレス駆動においては、正極性と負極性の異極性のデータ信号を伝送する必要がある。本発明では、このような正極性と負極性の異極性のデータ信号を各々分割して、別々に別けて伝送するようにしてもよい。
【００４５】
このような構成により伝送線路の受け側でデータ信号の位相を反転する必要がなくなり、回路規模を小さくすることができる。
【００４６】
また常に位相反転や位相シフトしたデータ信号を同じ伝送路に送るのではなく、時分割で複数の伝送路を切り換えて伝送したり、同じ伝送路に送る場合でも異なって位相にして時分割で送るようにしてもよい。
【００４７】
このような構成を採用することにより、平均的なＥＭＩをより効果的に低減することができる。また、伝送路で生じるデータ信号の誤りが同一信号に集中するのを防止することができ、画像の表示品質を向上することができる。
【００４８】
（実施形態２）
図８は本発明の液晶表示装置の構成の例を概略的に示す図である。
この液晶表示装置は、画像データ信号を供給するする信号源１１ｂと、第１の電極が配設された第１の基板と、第２の電極が配設された第２の基板と、前記第１の基板と前記第２の基板との間に挟持された液晶層とを有する液晶表示素子２１と、液晶表示素子２１の第１の電極または第２の電極に画像データ信号に対応した表示信号電圧を供給する駆動手段である信号線ドライバ２２と、画像データ信号を信号線ドライバ２２に供給するそれぞれ複数の線路１２Ｒａ  、１２Ｒｂ  、１２Ｇａ  、１２Ｇｂ  、１２Ｂａ  、１２Ｂｂ  を有する伝送路１２Ｒ、１２Ｇ、１２Ｂと、信号源１１ｂと伝送路１２Ｒ、１２Ｇ、１２Ｂとの間に配設され、信号源１１ｂから供給された画像データ信号ＳＲ  、ＳＧ  、ＳＢ  をそれぞれ画像データ信号ＳＲ１と画像データ信号ＳＲ２、画像データ信号ＳＧ１と画像データ信号ＳＧ２、画像データ信号ＳＢ１と画像データ信号ＳＢ２とに分割して伝送路にそれぞれ供給するデータ分割部１３ｂと、データ分割部１３ｂと伝送路１２Ｒ、１２Ｇ、１２Ｂとの間に配設され、分割された画像データ信号ＳＲ１、ＳＲ２、画像データ信号ＳＧ１、ＳＧ２、画像データ信号ＳＢ１、ＳＢ２との位相をずらせる位相シフト部１４ｂとを具備したものである。
各線路１２Ｒａ  、１２Ｒｂ  、１２Ｇａ  、１２Ｇｂ  、１２Ｂａ  、１２Ｂｂ  はそれぞれｎビットの画像データ信号ＳＲ  、ＳＧ  、ＳＢ  を伝送するため、ｎ本の並列配線を有している。
【００４９】
図９は液晶表示素子２１のアレイ基板の構成の例を概略的に示す図である。  アレイ基板２１ａの表示領域にはマトリクス状に画素電極１０１が配設されている。そして画素電極１０１にはそれぞれ薄膜トランジスタ１０２のソース電極１０２ｓが接続されている。この薄膜トランジスタ１０２のゲート電極１０２ｇは走査線ドライバ２３から走査信号が供給される走査線１０３と接続されている。また、薄膜トランジスタ１０２のドレイン電極１０２ｄは信号線ドライバ２２から表示信号が供給される信号線１０４と接続されている。
すなわち、走査信号により薄膜トランジスタ１０２がオン状態になったとき、信号線１０４に印加されている表示信号が薄膜トランジスタのソース・ドレイン間を通じて画素電極１０１に選択的に印加される。
【００５０】
画素電極１０１が配設されたアレイ基板と対向電極１０５が配設された図示しない対向基板との間には液晶層１０６が挟持されており、画素電極１０１と対向電極１０５との間に形成される電界を制御することにより、液晶層１０６の光の透過状態、散乱状態、吸収状態などを変化させて表示を行う。
【００５１】
図８に例示した本発明の液晶表示装置では、ディジタル画像信号ＳＲ  、ＳＧ  、ＳＢ  は、実施形態１で説明したように、相関を有するようにそれぞれ画像データ信号ＳＲ１、ＳＲ２、画像データ信号ＳＧ１、ＳＧ２、画像データ信号ＳＢ１、ＳＢ２とに分割される。そして分割された一方の画像データ信号（この例では画像データ信号ＳＲ２、ＳＧ２、ＳＢ２）を反転させてＳＲ２＊  、ＳＧ２＊  、ＳＢ２＊  として線路１２Ｒｂ  、１２Ｇｂ  、１２Ｂｂ  からなる伝送路により信号線ドライバ２２に送る構成を備えている。画像データ信号ＳＲ１、ＳＧ１、ＳＢ１は反転されずに線路１２Ｒａ  、１２Ｇａ  、１２Ｂａ  により信号線ドライバ２２に送られる。
このとき、各ＲＧＢの画像データ信号ＳＲ  、ＳＧ  、ＳＢ  はそれぞれ２分割されて送られるから、その周波数は半分に低下している。
伝送路１２Ｒ、１２Ｇ、１２Ｂの下流側には、反転したデータ信号ＳＲ２＊  、ＳＧ２＊  、ＳＢ２＊  を、反転しなかった画像データ信号ＳＲ１、ＳＧ１、ＳＢ１と位相を合わせるための位相シフト部１５が配設されている。したがって、信号線ドライバ２２に入力される画像データ信号ＳＲ１、ＳＲ２、画像データ信号ＳＧ１、ＳＧ２、画像データ信号ＳＢ１、ＳＢ２は、分割されたときの位相、すなわち元の画像データ信号ＳＲ  、ＳＧ  、ＳＢ  のときと同位相となる。
【００５２】
信号線ドライバ２２に入力された画像データ信号ＳＲ１、ＳＲ２、画像データ信号ＳＧ１、ＳＧ２、画像データ信号ＳＢ１、ＳＢ２は、信号線ドライバでシリアル−パラレル変換された後、アナログ信号（電圧）に変換され、水平同期信号に同期して走査線１ライン毎に液晶表示素子の画素が書き換えられる。
従来の液晶表示装置では、たとえ周波数を低下させるために分割されたとしても、非常に相関の高い信号がそのまま伝送されていたので、ある瞬間の電磁場は同時に同じ方向に変化してしまう。つまり、ディジタルな画像データ信号が”１”から”０”へ、または”０”から”１”へ同時に変化する確率が非常に高かったため、その変化が電磁波として大きく放射され電磁障害を生じていた。
これに対し、本発明の液晶表示装置では、相関を有する一方の画像データ信号が逆相で伝送されるので、”１”から”０”への変化、または”０”から”１”への変化が逆になるため相互に打ち消し合い、電磁波の発生を抑制することができる。
すなわち、本発明の液晶表示装置は、分割されたデータ信号の少なくとも１つを逆相にすることにより、電磁波の発生を補償することができるものである。
【００５３】
なお、本発明の液晶表示装置においても、分割された画像データ信号の相関が小さい場合には相互の電磁波の補償は小さくなるが、そのような信号が発生する確率は極めて低いため問題にはならない。さらに、相関が低い画像は、電磁障害に起因するノイズに擾乱されても劣化しにくいため、補償の程度が低くても表示品質には殆ど影響しない。
【００５４】
またこの例では、伝送路１２ｂは信号源１１ｂから信号線ドライバ２２までの間の伝送路として説明したが、本発明は、液晶パネル上の伝送路に適用するようにしてもよいし、また伝送路上に回路が配設されていても適用することができる。また、画像データ信号の分割数も２分割に限ることなく３分割でも４分割でも構わない。
【００５５】
また、ＲＧＢの画像データ信号ＳＲ  、ＳＧ  、ＳＢ  信号の間はどのような位相関係でも構わないが、位相が同時に変化しないように少しでもシフトさせることにより、より電磁障害を低減することができる。
【００５６】
図１０はＲＧＢの画像データ信号ＳＲ  、ＳＧ  、ＳＢ  と、分割されかつ反転されたＲの画像データ信号ＳＲ１、ＳＲ２＊  、Ｇの画像データ信号ＳＧ１、ＳＧ２＊  、Ｂの画像データ信号ＳＢ１、ＳＢ２＊  の位相関係の例を模式的に示す図である。
このようにＲＧＢの画像データ信号ＳＲ  、ＳＧ  、ＳＢ  信号の位相が同時に変化しないようにシフトさせることで、より効果的に電磁障害を低減することができる。
【００５７】
なお、図８に例示した液晶表示装置では、信号線ドライバ２２と画素電極１０１との間の伝送路には、画像データ信号ＳＲ  、ＳＧ  、ＳＢ  と対応したアナログな表示信号（電圧）が供給される構成となっているが、信号線にディジタルな画像データ信号を供給し、各画素にサンプリング手段、メモリ手段、Ｄ／Ａ変換手段などからなる画素電極の駆動手段を配設するようにしてもよい。
この場合、液晶表示素子内の伝送路においても、画像データ信号を複数に分割し、その一方を反転させるようにすればよい。
【００５８】
（実施形態３）
図１１は本発明の液晶表示装置の構成の例を概略的に示す図である。
この液晶表示装置では、信号源１１ｂから信号線ドライバ２２に伝送されるＲＧＢの各画像データ信号ＳＲ  、ＳＧ  、ＳＢ  のうち１種だけ、この例では画像データ信号ＳＧ  の位相を、他の画像データ信号ＳＲ  、ＳＢ  の位相と１８０°ずらせる構成を備えている。
このような構成を採用することにより、ＲＧＢの画像データ信号ＳＲ  、ＳＧ  、ＳＢ  の間にも相関がある場合、電磁波を１／３に低減することができる（ＳＲ  、ＳＧ  、ＳＢ  の相関係数が１の場合）。
【００５９】
なおこの例では、画像データ信号はＲＧＢとしたが、ＮＴＳＣ方式の色信号ＣＲ−Ｙ、ＣＢ−Ｙでも構わないし、Ｃｙ（シアン）、Ｙｅ（イエロー）、Ｍｇ
（マゼンタ）などでも、相関を有する複数の信号ならどのような信号でも適用することができる。
【００６０】
（実施形態４）
図１２は本発明の液晶表示装置の構成の別の例を概略的に示す図である。
この液晶表示装置では、データ信号ＳＲ  、ＳＧ  、ＳＢ  を反転させるインバータで補償するのではなく、位相をわざとずらせることにより、伝送路上を伝搬するデータ信号が同時に変化することを防止するものである。このような構成によっても、電磁障害を効果的に低減することができる。
なお、この例では受け側、すなわち信号線ドライバ側では、データ信号ＳＲ  、ＳＧ  、ＳＢ  をずらした分だけもとに戻すバッファ回路からなる位相シフト部１５を付加した構成を例示しているが、信号線ドライバ２２のクロックをずらすことにより、下流側の位相シフト部１５をを省略するようにしてもよい。
【００６１】
（実施形態５）
図１３は本発明の液晶表示装置の構成の別の例を概略的に示す図である。
この液晶表示装置では、ディジタルな画像デ−タ信号ＳＲ  、ＳＧ  、ＳＢ  をビット単位で伝送するとともに、ＲＧＢの同じビットを伝送する線路を隣接して配置する構成を有するものである。
【００６２】
例えば、画像デ−タ信号ＳＲ  、ＳＧ  、ＳＢ  がそれぞれ３ビットの画像データ信号ＳＲ１、ＳＲ２、ＳＲ３、画像データ信号ＳＧ１、ＳＧ２、ＳＧ３、画像データ信号ＳＢ１、ＳＢ２、ＳＢ３である場合、１ビット目の画像データ信号を伝送する線路１２Ｒ１  、１２Ｇ１  、１２Ｂ１  を隣接して配置し、また２ビット目の画像データ信号を伝送する線路を隣接して配置し、１２Ｒ２  、１２Ｇ２  、１２Ｂ２  、３ビット目の画像データ信号を伝送する線路１２Ｒ３  、１２Ｇ３  、１２Ｂ３  を隣接して配置している。
【００６３】
そして、この例では、画像デ−タ信号ＳＧ  を反転させる位相シフト部１４を備えており、画像デ−タ信号ＳＧ  を全てインバートした画像デ−タ信号ＳＧ＊を作成した上で、同じビットの画像データ信号ＳＲ  、ＳＢ  を画像デ−タ信号ＳＧ＊に隣接するように伝送して、これらの画像データ信号ＳＲ  、ＳＧ＊、ＳＢ  を信号線ドライバ２２で受けて液晶表示素子に供給している。
【００６４】
このような構成を採用しても、伝送路上を伝搬するデータ信号が同時に変化することを防止することができ、電磁障害を低減することができる。
【００６５】
これまで説明した実施形態では、相関が高くなるように分割したデータ信号によりＥＭＩノイズを補償した例を説明したが、本発明はこれに限らず様々に変形して適用することができる。
例えば、伝送路を構成する線路のうちデータ信号の変化の多い線路を選択し、この線路の近傍に新たに別の線路を設け、変化の多い線路に送られるデータ信号と逆相の信号を送るようにしてもよい。すべての線路のデータ信号が変化している場合はまれであるから、変化が大きい線路だけＥＭＩを補償するようにすれば前述同様の効果を得ることができる。
【００６６】
（実施形態６）
つぎに、電磁障害（ＥＭＩ）を低減するだけでなく消費電力を低減できる構成について説明する。
【００６７】
図１４は本発明の情報処理装置の構成の別の例を概略的に示す図であり、図１５は図１４に例示した本発明の情報処理装置の回路構成の例を概略的に示す図である。
【００６８】
この情報処理装置は、データ信号Ｓを供給する信号源１１と、信号源から供給されたデータ信号Ｓを伝送する第１の線路Ｌ１と第２の線路Ｌ２とを有する伝送路１２と、信号源１１と伝送路１２との間に配設され、信号源１１から供給されたデータ信号をデータ信号Ｓａ  とデータ信号Ｓｂ  とに分割して第１の線路Ｌ１と前記第２の線路Ｌ２とにそれぞれ供給するデータ分割部１３と、データ分割部１３と伝送路１２との間に配設され、データ信号Ｓａ  とデータ信号Ｓｂ  との位相をずらせる位相シフト部であるバッファ回路２４バッファ回路２５とを具備したものである。バッファ回路２４は入力されたデータ信号Ｓａ  を反転させ、データ信号Ｓａ＊として第１の線路Ｌ１に出力する。バッファ回路は例えば図１５に例示したように、ＣＭＯＳトランジスタ回路により構成するようにしてもよい。
【００６９】
バッファ回路２４は電位Ｖｄｄ１  の線路２６と電位Ｖｄｄ２  線路２７との間に介挿され、バッファ回路２５は電位Ｖｄｄ２  の線路２７と電位Ｖｄｄ３  の線路２８との間に介挿されている。すなわち、バッファ回路２４とバッファ回路２５とは電位Ｖｄｄ２  の線路２７に共通接続している。
【００７０】
いまＶｄｄ１  は接地電位、Ｖｄｄ２  ＝２．５Ｖ、Ｖｄｄ３  ＝５Ｖであり、第１の線路Ｌ１  の容量をＣＬ１、第２の線路Ｌ２  の容量をＣＬ２の場合を考える。
バッファ回路２４、バッファ回路２５に対して電位Ｖｄｄ２  を供給する線路２７をそれぞれ別々に配設する場合には、消費電力Ｐは下記のようになる。
Ｐ１  ＝（ＣＬ２・ｆ・Ｖ２  ）＋（ＣＬ１・ｆ・Ｖ２  ）、（Ｖ＝２．５Ｖ）
これに対し図１４に例示したようにバッファ回路２４と、バッファ回路２５とに対して電位Ｖｄｄ２  を供給する線路２７を共通化して配設する場合には、消費電力Ｐ２  は下記のようになる（ただし相関が大きい場合で、ＣＬ１＝ＣＬ２のとき）。
Ｐ２  ＝（ＣＬ２・ｆ・Ｖ２  ／２）＋（ＣＬ１・ｆ・Ｖ２  ／２）、（Ｖ＝２．５Ｖ）
すなわち、第１の信号線路Ｌ１  へは電荷は第２の信号線路Ｌ２  から供給されるため、ＣＬ１とＣＬ２とが実質的に同じ場合には供給する信号電圧の半分までは電荷を供給する必要がなく、したがって消費電力を約半分程度まで低減することができる。
【００７１】
なお図１４では、２段の構成例を説明したが、より多段に構成することによりさらに効果的に消費電力を低減することができる。
【００７２】
【発明の効果】
以上説明したように、本発明の情報処理装置によれば、ディジタル画像信号やそのクロックなどから発生する電磁障害（ＥＭＩ）を効果的に低減することができる。特に、例えば１チップに集積化された複数の電子回路を接続する伝送路や液晶表示装置の表示画面など、情報処理装置のうちシールドが困難な部分の電磁障害も低減することができる。またシールド板を用いる必要がないのでコストを低減することができる。
【００７３】
また、分割したデータ信号の一方を反転して逆相にすることにより、電源電圧の変動が補償され、電源インピーダンスが高くても駆動することができる。したがって電源ラインを細くすることができ、またノイズ低減コンデンサを減らすことができるから、半導体素子の高集積化や、電子装置の実装を高密度することができる。さらに例えば液晶表示装置の狭額縁化を実現することもできる。
【００７４】
また、本発明の情報処理装置、液晶表示装置によれば電磁障害が低減するので回路の誤動作が少なくなり、信頼性を向上することができる。
また本発明によれば、電磁障害を抑圧しながらＣＰＵ、ＤＳＰ、メモリ等が１チップに集積化された半導体素子や、アレイ基板に画素アレイ以外の駆動回路等をＳＯＧで一体的に作成することができる。また、情報処理装置、液晶表示装置をコストアップを招来することなく高性能化することができる。
【図面の簡単な説明】
【図１】本発明の情報処理装置の構成の例を模式的に示す図。
【図２】データ信号Ｓの相関を説明するための図。
【図３】Ｒの画像データ信号ＳＲ  のデータの例を示す図。
【図４】Ｇの画像データ信号ＳＧ  のデータの例を示す図。
【図５】Ｂの画像データ信号ＳＢ  のデータの例を示す図。
【図６】データ信号Ｓと分割されたデータ信号Ｓａ  、Ｓｂ  との対応関係の例を説明するための図。
【図７】データ信号Ｓと分割されたデータ信号Ｓａ  、Ｓｂ  との対応関係の例を説明するための図。
【図８】本発明の液晶表示装置の構成の例を概略的に示す図。
【図９】液晶表示素子のアレイ基板の構成の例を概略的に示す図。
【図１０】画像データ信号ＳＲ  、ＳＧ  、ＳＢ  と、分割反転された画像データ信号ＳＲ１、ＳＲ２＊  、ＳＧ１、ＳＧ２＊  、ＳＢ１、ＳＢ２＊  の位相関係の例を模式的に示す図。
【図１１】本発明の液晶表示装置の構成の例を概略的に示す図。
【図１２】本発明の液晶表示装置の構成の別の例を概略的に示す図。
【図１３】本発明の液晶表示装置の構成の別の例を概略的に示す図。
【図１４】本発明の情報処理装置の構成の別の例を概略的に示す図。
【図１５】図１４に例示した本発明の情報処理装置の回路構成の例を概略的に示す図。
【図１６】従来の液晶表示装置の構成の例を概略的に示す図。
【符号の説明】
１１、１１ｂ…………信号源
１２……………………伝送路
１２ａ、１２ｂ………線路
１３……………………データ分割部
１４、１５……………位相シフト部
２１……………………液晶表示素子
２２……………………信号線ドライバ
２３……………………走査線ドライバ
２４……………………バッファ回路
２５……………………バッファ回路（反転）
１０１…………………画素電極
１０２…………………薄膜トランジスタ
１０２ｇ………………ゲート電極
１０２ｓ………………ソース電極
１０２ｄ………………ドレイン電極
１０３…………………走査線
１０４…………………信号線
１０５…………………対向電極
１０６…………………液晶層
【図１】
0003600409.tif 000002
【図２】
0003600409.tif 000003
【図３】
0003600409.tif 000004
【図４】
0003600409.tif 000005
【図５】
0003600409.tif 000006
【図６】
0003600409.tif 000007
【図７】
0003600409.tif 000008
【図８】
0003600409.tif 000009
【図９】
0003600409.tif 000010
【図１０】
0003600409.tif 000011
【図１１】
0003600409.tif 000012
【図１２】
0003600409.tif 000013
【図１３】
0003600409.tif 000014
【図１４】
0003600409.tif 000015
【図１５】
0003600409.tif 000016
【図１６】
0003600409.tif 000017